(57)【特許請求の範囲】
【請求項１】
地表に開口した溝の左岸と右岸に沿って、それぞれ、壁板部と床板部をＬ形状に一体成形した既製コンクリートのブロックを配列して連結し、左岸のブロックと右岸のブロックは、それぞれ、壁板部を溝の左側面、右側面に対面し、床板部を溝の底面の左側部、右側部に置き、
左右のブロックの床板部の間の空間は、現場打ちコンクリートで埋め、水路の底面の中央部の床板部にし、現場打ちコンクリートの中央部の床板部は、左右のブロックの床板部と一体化する水路において、
左岸のブロック列と右岸のブロック列は、それぞれ、弾性材の連結止水部材で、上流側と下流側のブロックをそれらの間に隙間を設けて連結すると共に両ブロックの間の隙間を閉鎖し、
現場打ちコンクリートの中央部の床板部は、上流側と下流側に分断し、弾性材の連結止水部材で、上流側の床板部と下流側の床板部をそれらの間に隙間を設けて連結すると共に両床板部の間の隙間を閉鎖し、
現場打ちコンクリートの中央部の床板部を上流側と下流側に分断して連結止水部材で連結する位置は、左岸のブロック列の上流側と下流側のブロックを連結止水部材で連結する位置、右岸のブロック列の上流側と下流側のブロックを連結止水部材で連結する位置に揃え、
水路は、流れ方向を連結止水部材で多数の区分に区切っていることを特徴とする止水性水路。
【請求項２】
連結止水部材は、左岸のブロック列に介在するもの、現場打ちコンクリートの中央部の床板部に介在するものと、右岸のブロック列に介在するものを１本の連続した連結止水部材にしていることを特徴とする請求項１に記載の止水性水路。
【請求項３】
連結止水部材は水路の左岸又は右岸の複数又は単数のブロック毎に介在し、水路の各区分を構成するブロックの個数は２個又は２の倍数にしていることを特徴とする請求項１又は２に記載の止水性水路。
【請求項４】
地表に開口した溝の左岸と右岸に沿って、それぞれ、壁板部と床板部をＬ形状に一体成形した既製コンクリートのブロックを配列して連結し、左岸のブロックと右岸のブロックは、それぞれ、壁板部を溝の左側面、右側面に対面し、床板部を溝の底面の左側部、右側部に置き、
左右のブロックの床板部の間の空間は、現場打ちコンクリートで埋め、水路の底面の中央部の床板部にし、現場打ちコンクリートの中央部の床板部は、左右のブロックの床板部と一体化する水路の構築方法において、
左岸のブロック列と右岸のブロック列は、それぞれ、上流側と下流側のブロックの間に帯状弾性材の連結止水部材を介在し、連結止水部材は、左右方向の左側部と右側部をそれぞれ左岸ブロック用の連結止水部、右岸ブロック用の連結止水部にし、左右方向の中央部を現場打ちコンクリート床板部用の連結止水部にし、
左岸のブロックと右岸のブロックは、それぞれ、正面側連結端面に左岸ブロック用の連結止水部の後側部、右岸ブロック用の連結止水部の後側部を留め、現場打ちコンクリート床板部用の連結止水部を左右のブロックの正面側連結端面の内端の間に掛け渡し、現場打ちコンクリート床板部用の連結止水部の後側部を左右のブロックの床板部の間に挟み、
左右のブロックの床板部と現場打ちコンクリート床板部用の連結止水部の間の空間は、現場打ちコンクリートで埋め、水路の底面の中央部の床板部にし、現場打ちコンクリートの中央部の床板部は、現場打ちコンクリート床板部用の連結止水部の後側部を埋没し、左右のブロックの床板部及び現場打ちコンクリート床板部用の連結止水部と一体化し、
左右のブロックの正面側連結端面から突出した左岸ブロック用の連結止水部の前側部と右岸ブロック用の連結止水部の前側部に、それぞれ、次のブロックの背面側連結端面を留め、左右の次のブロックの背面側連結端面は、それぞれ、左右の前のブロックの正面側連結端面に左岸ブロック用の連結止水部、右岸ブロック用の連結止水部で連結し、現場打ちコンクリート床板部用の連結止水部は、前側部を左右の次のブロックの床板部の間に挟み、
左右の次のブロックの床板部と現場打ちコンクリート床板部用の連結止水部の間の空間は、現場打ちコンクリートで埋め、水路の底面の中央部の床板部にし、現場打ちコンクリートの中央部の床板部は、現場打ちコンクリート床板部用の連結止水部の前側部を埋没し、左右の次のブロックの床板部及び現場打ちコンクリート床板部用の連結止水部と一体化し、
連結止水部材は、上流側と下流側のブロックをそれらの間に隙間を設けて連結すると共に両ブロックの間の隙間を閉鎖し、また、現場打ちコンクリートの中央部の上流側と下流側の床板部をそれらの間に隙間を設けて連結すると共に両床板部の間の隙間を閉鎖することを特徴とする止水性水路の構築方法。
【請求項５】
地表の溝の左岸と右岸に沿ってそれぞれ壁板部と床板部をＬ形状に一体成形した既製コンクリートのブロックを配列して左岸と右岸のブロックの床板部の間を現場打ちコンクリートの中央部の床板部にした水路に用いる帯状弾性材の連結止水部材において、
左右方向の全長に渡って幅方向の前後方向の中央部を変形自在な変形部にし、左右方向の左側部と右側部をそれぞれ左岸ブロック用の連結止水部、右岸ブロック用の連結止水部にし、左右方向の中央部を現場打ちコンクリート床板部用の連結止水部にし、
右岸ブロック用の連結止水部と左岸ブロック用の連結止水部は、それぞれ、変形部の前側の側部と後側の側部を取付部にし、両側の取付部を上流側と下流側のブロックの連結端面の取付溝に嵌め込んで留めて、上流側と下流側のブロックをそれらの間に隙間を設けて連結すると共に両ブロックの間の隙間を閉鎖する構成にし、
現場打ちコンクリート床板部用の連結止水部は、変形部の前側の側部と後側の側部を取付部にし、両側の取付部を上流側と下流側の現場打ちコンクリート床板部に埋没して、上流側と下流側の中央部の床板部をそれらの間に隙間を設けて連結すると共に両床板部の間の隙間を閉鎖する構成にしていることを特徴とする止水性水路用の連結止水部材。
【請求項６】
右岸ブロック用の連結止水部の変形部、左岸ブロック用の連結止水部の変形部と現場打ちコンクリート床板部用の連結止水部の変形部は、蛇腹状にしていることを特徴とする請求項５に記載の止水性水路用の連結止水部材。
【請求項７】
現場打ちコンクリート床板部用の連結止水部の前側と後側の取付部は、右岸ブロック用の連結止水部、左岸ブロック用の連結止水部の前側と後側の取付部より前後方向を長くしていることを特徴とする請求項５又は６に記載の止水性水路用の連結止水部材。
【請求項８】
右岸ブロック用の連結止水部、左岸ブロック用の連結止水部と現場打ちコンクリート床板部用の連結止水部は、同一素材で一体成形していることを特徴とする請求項５、６又は７に記載の止水性水路用の連結止水部材。
【発明の詳細な説明】
【技術分野】
【０００１】
本発明は、既製コンクリートブロックと現場打ちコンクリートで構築する水路の止水技術に関する。
【背景技術】
【０００２】
幅広の水路を構築する場合、地表に開口した幅広の溝に多数のブロックを運び込み、溝の左岸と右岸に沿って、それぞれ、ブロックを配列して連結する。ブロックは、既製（プレキャスト）コンクリート製品にしている。既製コンクリートのブロックは、壁板部と床板部をＬ形状に一体成形している。Ｌ形水路ブロックと呼ばれる。左岸のブロックと右岸のブロックは、それぞれ、壁板部を溝の左側面、右側面に近接して対面し、床板部を溝の底面の左側部、右側部に置く。溝の底面は、左側部と右側部にそれぞれ左岸のブロックの床板部、右岸のブロックの床板部が置かれ、左右のブロックの床板部の間の中央部が空間になる。この空間は、現場打ちコンクリートで埋め、水路の底面の中央部の床板部にする。現場打ちコンクリートの中央部の床板部は、左右のブロックの床板部と一体化する。
【０００３】
この水路は、幅を増減する際、ブロックはそのままで変更せず、現場打ちコンクリートの床板部の幅を調整する。水路の幅の増減が容易である。ブロックは、運搬や取扱に容易な大きさや重量にする。
【０００４】
水路を構築した地表ないし地盤は、地振動、沈下、隆起や滑りで変動する。局地的に、沈下したり、浮き上ったりし、横方向に移動したりする。すると、水路は、左岸又は右岸のブロック列において、上流側のブロックと下流側のブロックが相対的に移動したり、ブロックが破損したりして、隙間が形成される。その隙間から水漏れが発生することになる。
【０００５】
水路の水漏れを防止するため、左岸と右岸のブロック列において、それぞれ、上流側のブロックと下流側のブロックは、連結機能と止水機能のある連結止水部材で軟に連結する。
【０００６】
連結止水部材は、ゴムのような弾性材で帯状に成形し、幅方向の中央部を蛇腹状の変形部にし、幅方向の両側の側部をそれぞれ取付部にしている。帯状弾性材の連結止水部材は、ブロックのＬ形状の連結端面に合わせてＬ形状に折り曲げ、片側の取付部を上流側のブロックの連結端面の取付溝に嵌め込んで留め、他側の取付部を下流側のブロックの連結端面の取付溝に嵌め込んで留め、中央部の変形部を上流側と下流側のブロックの連結端面の間に配置する。連結止水部材は、上流側と下流側のブロックをそれらの連結端面の間に隙間を設けて連結すると共に、両ブロックの連結端面の間の隙間を閉鎖する。
【０００７】
地振動などで地盤が局地的に変形し、左岸又は右岸のブロック列において、上流側と下流側のブロックが相対的に移動すると、それらのブロックの連結端面の間に掛け渡した連結止水部材は、蛇腹状の変形部がブロックの相対移動に応じて変形し、両ブロックの連結端面の間の隙間を閉鎖し続ける。上流側と下流側のブロックが相対的に移動しても、それらのブロックの連結端面の間から水漏れが発生しない。
【０００８】
即ち、連結止水部材は、上流側と下流側のブロックを軟に連結し、地振動などによる地盤の変動時に上流側と下流側のブロックの相対移動を許容する。水路の耐震性を高める。また、上流側と下流側のブロックの相対移動時に両ブロックの間の隙間を閉鎖し続ける。水路の止水性を高める。
【先行技術文献】
【特許文献】
【０００９】
【特許文献１】特許第３９５４６７３号公報
【発明の概要】
【発明が解決しようとする課題】
【００１０】
［課  題］
ところが、上記のような水路においては、水路の左岸と右岸のブロック列は、それぞれ、上流側と下流側のブロックが連結止水部材で軟に連結されているが、その上流側と下流側のブロックがそれぞれ水路の底面中央部の現場打ちコンクリートの床板部に剛に連結されている。即ち、上流側と下流側のブロックは、水路の底面中央部の現場打ちコンクリートの床板部を介して剛に連結されている。従って、上流側と下流側のブロックは、相対的に移動し難い。
【００１１】
地振動などで地盤が局地的に変形したとき、上流側と下流側のブロックは、地盤の変形に応じて相対移動しないと、破損することになる。破損して相対的に移動することになる。また、上流側と下流側のブロックが相対的に移動すると、水路の底面中央部の現場打ちコンクリートの床板部は、ブロックの床板部から分離して隙間が発生したり、破損して割れ目が発生したりすることになる。
また、現場打ちコンクリートの床板部は、水路の流れ方向に連続しており、長い帯状になっている。地盤が局地的に変形すると、分断され易く、ひび割れが発生し易い。
結局、水路は、左岸と右岸のブロック列に連結止水部材を介在しても、水漏れを防止し難い。その連結止水部材は、作用効果が十分に発揮されない。水路の耐震性や止水性は、十分に高くなり難い。
【００１２】
［着  想］
１．上記のような水路においては、左岸と右岸のブロック列は、上流側と下流側のブロックが連結止水部材で軟に連結されるのに対し、水路の底面の中央部、現場打ちコンクリートの床板部は、水路の流れ方向に一体的に剛に連続する。上記の課題は、現場打ちコンクリートの床板部が水路の流れ方向に一体的に剛に連続することに起因している。
【００１３】
そこで、水路の底面中央部の現場打ちコンクリートの床板部は、左岸と右岸のブロック列と同様に、上流側と下流側に分断して上流側の床板部と下流側の床板部の間に隙間を設け、上流側と下流側の床板部を、上流側と下流側のブロックと同様に、連結止水部材で軟に連結することにした。
そして、現場打ちコンクリートの床板部を上流側と下流側に分断する位置、連結止水部材を介在する位置は、左岸と右岸のブロック列の連結止水部材を介在する位置に揃えることにした。水路の流れ方向に沿う位置を一致させることにした。
すると、水路は、流れ方向が連結止水部材で多数の区分に区切られることになる。各区分は、左岸と右岸のブロックとそれらの間の現場打ちコンクリートの床板部が剛に連結されて構成される。上流側と下流側の区分は、連結止水部材で軟に連結される。地振動などで地盤が局地的に変形すると、上流側と下流側の区分は、相対的に移動し易い。即ち、耐震性が高く、破損し難い。水路の水漏れが発生し難い。
【００１４】
２．従来の連結止水部材は、既製コンクリートのブロック用のものと現場打ちコンクリート用のものとでは、形状や材質が異なっていた。左岸と右岸のブロック列に既製コンクリートのブロック用の連結止水部材を介在し、現場打ちコンクリートの床板部に現場打ちコンクリート用の連結止水部材を介在することになる。ところが、３本の個別の連結止水部材は、突合せ端で水漏れが発生する可能性がある。
【００１５】
そこで、連結止水部材は、左岸のブロック列に介在するもの、現場打ちコンクリートの床板部に介在するものと、右岸のブロック列に介在するものを１本の連続した連結止水部材にすることにした。
１本の連続した連結止水部材は、水漏れが発生する突合せ端がない上、左岸のブロック、現場打ちコンクリートの床板部と右岸のブロックを連結することになる。左岸のブロックの床板部と現場打ちコンクリートの床板部が、また、現場打ちコンクリートの床板部と右岸のブロックの床板部が分離し難くなる。
【００１６】
３．１本の連続した連結止水部材は、長手方向の左右方向の左側部と右側部がそれぞれ左岸ブロック用、右岸ブロック用の連結止水部に、左右方向の中央部が現場打ちコンクリート床板部用の連結止水部になる。
左岸ブロック用、右岸ブロック用の連結止水部は、既製コンクリートのブロック用に適したものが望まれる。現場打ちコンクリート床板部用の連結止水部は、現場打ちコンクリート用に適したものが望まれる。
既製コンクリートのブロック用に適した連結止水部材は、背景技術に記載の通り、幅方向の中央部を蛇腹状の変形部にし、幅方向の両側の側部をそれぞれ取付部にしている。現場打ちコンクリート用の従来の連結止水部材は、幅方向の中央部を円筒状の変形部にし、幅方向の両側の側部をそれぞれ取付部にしている。両連結止水部材を比較すると、変形部は、蛇腹状が円筒状より可動範囲が広くなる。また、取付部は、取付力を同程度にすると、現場打ちコンクリート用のものが既製コンクリートのブロック用のものより幅が広くなる。
【００１７】
そこで、１本の連続した連結止水部材は、左岸ブロック用、右岸ブロック用の連結止水部も、現場打ちコンクリート床板部用の連結止水部も、変形部を蛇腹状にすることにした。また、現場打ちコンクリート床板部用の連結止水部は、左岸ブロック用、右岸ブロック用の連結止水部より取付部を広幅にすることにした。
【００１８】
また、既製コンクリートのブロック用に適した連結止水部材は、素材をエチレンプロピレンゴム（ＥＰＤＭ）にしている。現場打ちコンクリート用の従来の連結止水部材は、素材を塩化ビニル系の合成樹脂にしている。前者の素材は、後者の素材より耐久性が高い。
そこで、１本の連続した連結止水部材は、同一素材、エチレンプロピレンゴム（ＥＰＤＭ）で一体成形することにした。
【課題を解決するための手段】
【００１９】
１．地表に開口した溝の左岸と右岸に沿って、それぞれ、壁板部と床板部をＬ形状に一体成形した既製コンクリートのブロックを配列して連結し、左岸のブロックと右岸のブロックは、それぞれ、壁板部を溝の左側面、右側面に対面し、床板部を溝の底面の左側部、右側部に置き、
左右のブロックの床板部の間の空間は、現場打ちコンクリートで埋め、水路の底面の中央部の床板部にし、現場打ちコンクリートの中央部の床板部は、左右のブロックの床板部と一体化する水路において、
左岸のブロック列と右岸のブロック列は、それぞれ、弾性材の連結止水部材で、上流側と下流側のブロックをそれらの間に隙間を設けて連結すると共に両ブロックの間の隙間を閉鎖し、
現場打ちコンクリートの中央部の床板部は、上流側と下流側に分断し、弾性材の連結止水部材で、上流側の床板部と下流側の床板部をそれらの間に隙間を設けて連結すると共に両床板部の間の隙間を閉鎖し、
現場打ちコンクリートの中央部の床板部を上流側と下流側に分断して連結止水部材で連結する位置は、左岸のブロック列の上流側と下流側のブロックを連結止水部材で連結する位置、右岸のブロック列の上流側と下流側のブロックを連結止水部材で連結する位置に揃え、
水路は、流れ方向を連結止水部材で多数の区分に区切っていることを特徴とする止水性水路。
２．上記の止水性水路において、
連結止水部材は、左岸のブロック列に介在するもの、現場打ちコンクリートの中央部の床板部に介在するものと、右岸のブロック列に介在するものを１本の連続した連結止水部材にしていることを特徴とする。
３．上記の止水性水路において、
連結止水部材は水路の左岸又は右岸の複数又は単数のブロック毎に介在し、水路の各区分を構成するブロックの個数は２個又は２の倍数にしていることを特徴とする。
【００２０】
４．地表に開口した溝の左岸と右岸に沿って、それぞれ、壁板部と床板部をＬ形状に一体成形した既製コンクリートのブロックを配列して連結し、左岸のブロックと右岸のブロックは、それぞれ、壁板部を溝の左側面、右側面に対面し、床板部を溝の底面の左側部、右側部に置き、
左右のブロックの床板部の間の空間は、現場打ちコンクリートで埋め、水路の底面の中央部の床板部にし、現場打ちコンクリートの中央部の床板部は、左右のブロックの床板部と一体化する水路の構築方法において、
左岸のブロック列と右岸のブロック列は、それぞれ、上流側と下流側のブロックの間に帯状弾性材の連結止水部材を介在し、連結止水部材は、左右方向の左側部と右側部をそれぞれ左岸ブロック用の連結止水部、右岸ブロック用の連結止水部にし、左右方向の中央部を現場打ちコンクリート床板部用の連結止水部にし、
左岸のブロックと右岸のブロックは、それぞれ、正面側連結端面に左岸ブロック用の連結止水部の後側部、右岸ブロック用の連結止水部の後側部を留め、現場打ちコンクリート床板部用の連結止水部を左右のブロックの正面側連結端面の内端の間に掛け渡し、現場打ちコンクリート床板部用の連結止水部の後側部を左右のブロックの床板部の間に挟み、
左右のブロックの床板部と現場打ちコンクリート床板部用の連結止水部の間の空間は、現場打ちコンクリートで埋め、水路の底面の中央部の床板部にし、現場打ちコンクリートの中央部の床板部は、現場打ちコンクリート床板部用の連結止水部の後側部を埋没し、左右のブロックの床板部及び現場打ちコンクリート床板部用の連結止水部と一体化し、
左右のブロックの正面側連結端面から突出した左岸ブロック用の連結止水部の前側部と右岸ブロック用の連結止水部の前側部に、それぞれ、次のブロックの背面側連結端面を留め、左右の次のブロックの背面側連結端面は、それぞれ、左右の前のブロックの正面側連結端面に左岸ブロック用の連結止水部、右岸ブロック用の連結止水部で連結し、現場打ちコンクリート床板部用の連結止水部は、前側部を左右の次のブロックの床板部の間に挟み、
左右の次のブロックの床板部と現場打ちコンクリート床板部用の連結止水部の間の空間は、現場打ちコンクリートで埋め、水路の底面の中央部の床板部にし、現場打ちコンクリートの中央部の床板部は、現場打ちコンクリート床板部用の連結止水部の前側部を埋没し、左右の次のブロックの床板部及び現場打ちコンクリート床板部用の連結止水部と一体化し、
連結止水部材は、上流側と下流側のブロックをそれらの間に隙間を設けて連結すると共に両ブロックの間の隙間を閉鎖し、また、現場打ちコンクリートの中央部の上流側と下流側の床板部をそれらの間に隙間を設けて連結すると共に両床板部の間の隙間を閉鎖することを特徴とする止水性水路の構築方法。
【００２１】
５．地表の溝の左岸と右岸に沿ってそれぞれ壁板部と床板部をＬ形状に一体成形した既製コンクリートのブロックを配列して左岸と右岸のブロックの床板部の間を現場打ちコンクリートの中央部の床板部にした水路に用いる帯状弾性材の連結止水部材において、
左右方向の全長に渡って幅方向の前後方向の中央部を変形自在な変形部にし、左右方向の左側部と右側部をそれぞれ左岸ブロック用の連結止水部、右岸ブロック用の連結止水部にし、左右方向の中央部を現場打ちコンクリート床板部用の連結止水部にし、
右岸ブロック用の連結止水部と左岸ブロック用の連結止水部は、それぞれ、変形部の前側の側部と後側の側部を取付部にし、両側の取付部を上流側と下流側のブロックの連結端面の取付溝に嵌め込んで留めて、上流側と下流側のブロックをそれらの間に隙間を設けて連結すると共に両ブロックの間の隙間を閉鎖する構成にし、
現場打ちコンクリート床板部用の連結止水部は、変形部の前側の側部と後側の側部を取付部にし、両側の取付部を上流側と下流側の現場打ちコンクリート床板部に埋没して、上流側と下流側の中央部の床板部をそれらの間に隙間を設けて連結すると共に両床板部の間の隙間を閉鎖する構成にしていることを特徴とする止水性水路用の連結止水部材。
６．上記の止水性水路用の連結止水部材において、
右岸ブロック用の連結止水部の変形部、左岸ブロック用の連結止水部の変形部と現場打ちコンクリート床板部用の連結止水部の変形部は、蛇腹状にしていることを特徴とする。
７．上記の止水性水路用の連結止水部材において、
現場打ちコンクリート床板部用の連結止水部の前側と後側の取付部は、右岸ブロック用の連結止水部、左岸ブロック用の連結止水部の前側と後側の取付部より前後方向を長くしていることを特徴とする。
８．上記の止水性水路用の連結止水部材において、
右岸ブロック用の連結止水部、左岸ブロック用の連結止水部と現場打ちコンクリート床板部用の連結止水部は、同一素材で一体成形していることを特徴とする。
【発明の効果】
【００２２】
水路は、流れ方向が連結止水部材で多数の区分に区切られる。上流側と下流側の区分は、弾性材の連結止水部材で軟に連結される。相対的に移動し易い。耐震性が高く、破損し難い。水路の水漏れが発生し難い。
即ち、水路は、幅の増減が容易でブロックの運搬や取扱が容易である利点を生かしたまま、水漏れが発生し難くなる。
【図面の簡単な説明】
【００２３】
【図１】本発明の実施形態の第１例における水路のブロックの正面図。
【図２】同ブロックの平面図。
【図３】同水路の連結止水部材の中間省略平面図。
【図４】同連結止水部材の拡大右側面図。
【図５】図３のＡ−Ａ線断面拡大図。
【図６】図３のＢ−Ｂ線断面拡大図。
【図７】同水路の第１区分の左右のブロックを配列した状態を示す正面図。
【図８】同状態を示す平面図。
【図９】同水路の第１区分の左右の前端ブロックに連結止水部材を取り付けた状態を示す正面図。
【図１０】同状態を示す平面図。
【図１１】同水路の第１区分の左右の前端ブロックに目地材を取り付けた状態を示す正面図。
【図１２】同状態を示す平面図。
【図１３】同水路の第１区分の左右のブロックと連結止水部材、目地材の間にコンクリートを現場打ちした状態を示す平面図。
【図１４】同水路の第１区分の連結止水部材に第２区分の第１ブロックを取り付けた状態を示す平面図。
【図１５】同水路の第２区分の第１ブロックに第２ブロックをボルトで連結した状態を示す平面図。
【図１６】同水路の第２区分の左右のブロックと連結止水部材、目地材の間にコンクリートを現場打ちした状態を示す平面図。
【図１７】同水路の第１区分、第２区分と第３区分を構築した状態を示す縮小平面図
【図１８】図１６のＣ−Ｃ線断面における連結止水部材介在部分の拡大端面図。
【図１９】図１６のＤ−Ｄ線断面における連結止水部材介在部分の拡大端面図。
【図２０】図１８と同じ断面の拡大端面図で、上流側と下流側のブロックの間が広がった状態を示す図。
【図２１】図１９と同じ断面の拡大端面図で、現場打ちコンクリートの上流側と下流側の床板部の間が広がった状態を示す図。
【図２２】実施形態の第２例における水路のブロックの正面図。
【図２３】実施形態の第３例における水路のブロックの正面図。
【発明を実施するための形態】
【００２４】
［第１例（図１〜図２１参照）］
〔概  要〕
本例の水路においては、左岸のブロック列と右岸のブロック列は、それぞれ、数個のブロック毎に弾性材の連結止水部材を介在して上流側と下流側のブロックを連結止水部材で軟に連結する。連結止水部材で連結しない上流側と下流側のブロックは、ボルトで剛に連結する。また、現場打ちコンクリートの中央部の床板部は、上流側と下流側に分断して上流側の床板部と下流側の床板部の間に隙間を設け、上流側と下流側の床板部を弾性材の連結止水部材で軟に連結する。現場打ちコンクリートの中央部の床板部の連結止水部材介在位置は、左岸のブロック列の連結止水部材介在位置及び右岸のブロック列の連結止水部材介在位置に、揃える。水路の流れ方向に沿う位置を一致させる。水路は、流れ方向が連結止水部材で多数の区分に区切られることになる。
連結止水部材は、左岸のブロック列に介在するもの、現場打ちコンクリートの床板部に介在するものと、右岸のブロック列に介在するものを１本の連続した連結止水部材にする。
【００２５】
〔ブロック〕
ブロック１は、既製鉄筋コンクリート製品にしている。Ｌ形水路ブロックと呼ばれている。このブロック１は、図１と図２に示すように、壁板部２と床板部３をＬ形状に一体成形している。床板部３は、内側面に鉄筋４を左右方向に突出している。鉄筋４は、複数本を前後方向に並列している。ブロック１は、正面側のＬ形状の連結端面に連結止水部材用の取付溝５を形成している。Ｌ形状の取付溝５は、壁板部２の上端で閉鎖し、床板部３の内端で開放している。背面側の連結端面には、ボルト用の連結部６を形成している。連結部６は、壁板部２に複数、床板部３に単数設けている。ブロック１は、運搬や取扱に容易な大きさや重量にしている。
【００２６】
図１と図２に示すブロック１は、正面側の連結端面を連結止水部材で連結し、背面側の連結端面をボルトで連結するブロックである。正面側と背面側の連結端面をそれぞれボルトで連結するブロックは、正面側と背面側の連結端面にそれぞれボルト用の連結部６を形成している。正面側の連結端面をボルトで、背面側の連結端面を連結止水部材で連結するブロックは、正面側の連結端面にボルト用の連結部６を、背面側の連結端面に連結止水部材用の取付溝５を形成している。
【００２７】
〔連結止水部材〕
連結止水部材１１は、図３〜図６に示すように、ゴムや合成樹脂の弾性材で帯状ないし細長板状に一体成形している。実施例では、エチレンプロピレンゴム（ＥＰＤＭ）で一体成形している。帯状弾性材の連結止水部材１１は、長手方向、左右方向を湾曲可能、折曲可能にしている。運搬時には、嵩張らない円輪状に湾曲する。帯状の連結止水部材１１は、長手方向、左右方向の全長に渡って、幅方向、前後方向の中央部を変形部１２にしている。変形部１２は、蛇腹状ないし九十九折り状に成形し、幅方向の前後方向に伸縮可能にし、前後方向を凸状や凹状に湾曲可能にしている。蛇腹状の変形部１２は、変形自在にしている。
【００２８】
また、連結止水部材１１は、長手方向の左右の側部、左側部と右側部をそれぞれ左岸ブロック用の連結止水部１３、右岸ブロック用の連結止水部１３にし、長手方向の中央部を現場打ちコンクリート床板部用の連結止水部１４にしている。左右対称の形状にしている。
【００２９】
右岸ブロック用と左岸ブロック用の連結止水部１３は、それぞれ、前後方向中央部の変形部１２の前側の側部と後側の側部を取付部１５にしている。前側と後側の取付部１５は、それぞれ、前縁又は後縁に近づくに従って上下方向の厚さを薄くし、薄い端に肉厚部１６を上下方向に突出して形成している。前縁又は後縁の肉厚部１６は、断面を半円形状にしている。前側と後側の取付部１５は、前後対称の形状にしている。
【００３０】
現場打ちコンクリート床板部用の連結止水部１４は、前後方向中央部の変形部１２の前側の側部と後側の側部を取付部１７にしている。前側と後側の取付部１７は、取付部１５と同様に、それぞれ、前縁又は後縁に近づくに従って上下方向の厚さを薄くし、薄い端に肉厚部を上下方向に突出して形成している。その上、その肉厚部は、前部又は後部を前側又は後側に延長して平板部を形成し、平板部の前縁又は後縁に肉厚部１８を上下方向に突出して形成している。前縁又は後縁の肉厚部１８は、断面を円形状にしている。前側と後側の取付部１７は、前後対称の形状にしている。
【００３１】
現場打ちコンクリート床板部用の連結止水部１４の前側と後側の取付部１７は、右岸ブロック用の連結止水部１３、左岸ブロック用の連結止水部１３の前側と後側の取付部１５より幅方向、前後方向を長くしている。この連結止水部１４の前側と後側の取付部１７は、上側と下側にそれぞれ現場打ちコンクリートが流れ込み、現場打ちコンクリートとの接触面積、接着面積が広くなる。現場打ちコンクリートとの接着力、取付力が高くなる。
【００３２】
〔水路の構築〕
水路を構築する場合、地表に開口した溝に、水路の１区分を構成する個数のブロック１を運び込む。溝の左岸と右岸に沿って、図７と図８に示すように、それぞれ、複数のブロック１を配列してボルト用の連結部６とボルトで連結する。左岸のブロック１列と右岸のブロック１列は、ブロック数を同じにし、各ブロック１を左右に正対させ、左右のブロック１の床板部３の間に空間を設ける。左右のブロック１列では、それぞれ、前端、正面端のブロック１は、正面側の連結端面に取付溝５が開口している。
【００３３】
左右の前端ブロック１の正面側連結端面の取付溝５には、それぞれ、合成樹脂の接着剤を注入する。実施例では、接着剤はエボキシ樹脂にしている。エボキシ樹脂の接着剤は、ブロック１の既製コンクリートと連結止水部材１１のエチレンプロピレンゴムとの接着力が高くなる。
【００３４】
地表の開口溝には、連結止水部材１１を運び込む。連結止水部材１１は、図９と図１０に示すように、水路の溝形状断面に沿って溝形状ないしＵ形状に折り曲げる。左岸ブロック用の連結止水部１３は、後側の取付部１５を左岸の前端ブロック１の正面側連結端面の取付溝５に嵌め込む。また、右岸ブロック用の連結止水部１３は、後側の取付部１５を右岸の前端ブロック１の正面側連結端面の取付溝５に嵌め込む。
【００３５】
左右の前端ブロック１の取付溝５内の接着剤が硬化すると、左岸ブロック用の連結止水部１３は左岸の前端ブロック１の正面側連結端面に、右岸ブロック用の連結止水部１３は右岸の前端ブロック１の正面側連結端面に固着されて留まる。現場打ちコンクリート床板部用の連結止水部１４は、左右の前端ブロック１の正面側連結端面の内端の間に左右方向に掛け渡された状態になり、後側の取付部１７が左右の前端ブロック１の床板部３の間に挟まれた状態になる。溝形状に折り曲げた連結止水部材１１は、変形部１２と前側の取付部１５、前側の取付部１７が前側に突出する。
【００３６】
次に、地表の開口溝には、２本の目地材２１を運び込む。目地材２１は、スポンジゴムのような発泡合成樹脂を角棒状にしている。２本の目地材２１は、それぞれ、図１１と図１２に示すように、溝形状に折り曲げ、溝形状の連結止水部材１１の内側と外側に配置する。内側の目地材２１は、Ｌ形状に折れ曲った左右の側部を、それぞれ、左右の前端ブロック１の正面側連結端面の内側部分に接着する。外側の目地材２１は、Ｌ形状に折れ曲った左右の側部を、それぞれ、左右の前端ブロック１の正面側連結端面の外側部分に接着する。連結止水部材１１は、変形部１２が内外の目地材２１に挟まれ、前側の取付部１５と前側の取付部１７が内外の目地材２１から前側に突出する。後側の取付部１７は、内外の目地材２１から後側に突出する。左右のブロック１列の床板部３の間の空間は、前端が現場打ちコンクリート床板部用の連結止水部１４とその上下位置の内外の目地材２１で閉鎖される。
【００３７】
左右のブロック１列の床板部３と、連結止水部１４とその上下位置の目地材２１の間の空間は、図１３に示すように、現場打ちコンクリートで埋め、水路の底面の中央部の床板部２２にする。現場打ちコンクリートの中央部の床板部２２は、左右のブロック１の床板部３の突出鉄筋４と後側の取付部１７を埋没し、左右のブロック１の床板部３及び連結止水部１４と一体化する。なお、図示しないが、上記の空間には、格子状に組んだ鉄筋を配置し、格子状の鉄筋を現場打ちコンクリートに埋没する。床板部２２は、鉄筋コンクリート製にする。
【００３８】
水路は、左右のブロック１列と現場打ちコンクリートの中央部の床板部２２、及び、連結止水部材１１と目地材２１で第１区分２６が構築される。
【００３９】
第１区分２６の左右の前端ブロック１の前側には、それぞれ、次のブロック１、第２区分２７の第１ブロック１を配置する。第２区分２７の左右の第１ブロック１の背面側連結端面の取付溝５には、それぞれ、第１区分２６におけるのと同様な接着剤を注入する。第２区分の左右の第１ブロック１は、それぞれ、図１４に示すように、第１区分２６の左右の前端ブロック１側に引き寄せる。第２区分２７の左右の第１ブロック１の背面側連結端面の取付溝５には、それぞれ、第１区分２６の左右の前端ブロック１の正面側連結端面から前側に突出した前側の取付部１５を嵌め込む。第２区分２７の左右の第１ブロック１の背面側連結端面は、それぞれ、第１区分２６の前端の内外の目地材２１に重ねる。
【００４０】
第２区分２７の左右の第１ブロック１の取付溝５内の接着剤が硬化すると、第２区分２７の左右の第１ブロック１の背面側連結端面は、それぞれ、第１区分２６の左右の前端ブロック１の正面側連結端面に左岸ブロック用の連結止水部１３、右岸ブロック用の連結止水部１３で連結される。現場打ちコンクリート床板部用の連結止水部１４は、前側の取付部１７が第２区分２７の左右の第１ブロック１の床板部３の間に挟まれた状態になる。
【００４１】
第２区分２７の左右の第１ブロック１には、それぞれ、図１５に示すように、更に次のブロック１、第２区分２７の第２ブロック１をボルト用の連結部６とボルトで連結する。第２区分２７では、第１区分２６と同様に、１区分を構成する個数のブロック１を配列してボルト用の連結部６とボルトで連結する。第２区分２７の前端のブロック１は、第１区分２６のそれと同様に、正面側の連結端面に取付溝５が開口している。
【００４２】
第２区分２７では、第１区分２６と同様に、左右の前端のブロック１は、正面側の連結端面に１本の連結止水部材１１と２本の目地材２１を取り付ける。左右のブロック１列の床板部３と、第１区分２６の連結止水部１４とその上下位置の目地材２１、及び、第２区分２７の連結止水部１４とその上下位置の目地材２１の間には、前後左右の四面が閉鎖した空間が形成される。この空間は、第１区分２６におけるのと同様に、図１６に部分的に示すように、現場打ちコンクリートで埋め、水路の底面の中央部の床板部２２にする。第２区分２７が構築される。
【００４３】
水路は、図１７に示すように、第１区分２６の前側に第２区分２７が構築される。また、第２区分２７の前側に第３区分２８が構築される。第３区分２８以後の区分は、第２区分２７と同様にして順次構築する。
【００４４】
〔水路の区分の連結構造〕
水路の第１区分２６と第２区分２７の境界で、左岸又は右岸のブロック１列のブロック１の床板部３が連結止水部材１１の連結止水部１３で軟に連結された構造は、水路の流れ方向に沿って切断した面の端面図を図１８に示す。第１区分２６と第２区分２７、上流側と下流側のブロック１の床板部３の間の目地には、連結止水部１３の変形部１２とその上下位置の目地材２１が詰まっている。
【００４５】
また、第１区分２６と第２区分２７の現場打ちコンクリートの中央部の床板部２２が連結止水部材１１の連結止水部１４で軟に連結された構造は、水路の流れ方向に沿って切断した面の端面図を図１９に示す。第１区分２６と第２区分２７、上流側と下流側の床板部２２の間の目地には、連結止水部１４の変形部１２とその上下位置の目地材２１が詰まっている。
【００４６】
例えば、水路の第１区分２６と第２区分２７が相対的に水路の流れ方向に移動すると、図２０に示すように、第１区分と第２区分、上流側と下流側のブロック１の間の目地が広がり、片側のブロック１が目地材２１から離れ、変形部１２が水路の流れ方向に伸長する。上流側と下流側のブロック１の間の目地ないし隙間は、広くなっても、連結止水部１３で閉鎖され続ける。連結止水部１３による連結と止水が維持される。また、図２１に示すように、第１区分と第２区分、上流側と下流側の床板部２２の間の目地が広がり、片側の床板部２２が目地材２１から離れ、変形部１２が水路の流れ方向に伸長する。上流側と下流側の床板部２２の間の目地ないし隙間は、広くなっても、連結止水部１４で閉鎖され続ける。連結止水部１４による連結と止水が維持される。
【００４７】
水路の上流側と下流側の区分は、連結止水部材１１で軟に連結されている。地振動などによる地盤の変動時には、上流側と下流側の区分は、それぞれ、地盤の変動に追従して変動する。連結と止水を維持した上で、相対的に移動する。水路の耐震性と止水性が高い。
【００４８】
［第２例（図２２参照）］
本例においては、ブロック１は、勾配型のＬ形水路ブロックにしている。このブロック１は、図２２に示すように、壁板部２を外側に傾け、壁板部２と床板部３の間の角度を９０度強にしている。床板部３は、壁板部２の外側に延長している。水路は、断面形状を逆台形状の溝形状に構築する。
【００４９】
勾配型のブロック１は、第１例におけるブロック１と同様に、床板部３の内側面に複数本の鉄筋４を突出している。また、正面側のＬ形状の連結端面には連結止水部材用の取付溝５を、背面側の連結端面にはボルト用の連結部６を形成している。
図２２に示す勾配型のブロック１は、図１と図２に示した非勾配型のブロック１と同様に、正面側の連結端面を連結止水部材で、背面側の連結端面をボルトで連結するブロックである。
その他の点は、第１例におけるのと同様である。
【００５０】
［第３例（図２３参照）］
本例においては、図２３に示すように、ブロック１は、第１例における非勾配型のブロック１の壁板部２の上端に天板部３１を壁板部２の内側に突出して一体成形している。水路は、開放上面の左右の側部をそれぞれ左右のブロック１の天板部３１で閉鎖することになる。天板部３１の上は、歩道として利用する。
【００５１】
天板部３１付きのブロック１は、第１例におけるブロック１と同様に、床板部３の内側面に複数本の鉄筋４を突出している。また、正面側の連結端面には連結止水部材用の取付溝５を、背面側の連結端面にはボルト用の連結部６を形成している。正面側と背面側の連結端面、取付溝５は、コの字形状にしている。
図２３に示す天板部３１付きのブロック１は、図１と図２に示したブロック１と同様に、正面側の連結端面を連結止水部材で、背面側の連結端面をボルトで連結するブロックである。
その他の点は、第１例におけるのと同様である。
【００５２】
［変形例］
１．上記の実施形態において、水路の左岸と右岸のブロック１列は、それぞれ、複数のブロック毎に連結止水部材１１を介在し、水路の各区分の左岸又は右岸のブロック１列は、ブロック数を複数にしているが、単数にする。換言すると、連結止水部材１１は、左岸又は右岸の複数又は単数のブロック１毎に介在する。水路の各区分を構成するブロック１の個数は、２個又は２の倍数にする。
２．上記の実施形態において、水路の各区分内の左岸又は右岸のブロック１同士は、ボルト用の連結部６とボルトで連結するが、ＰＣ鋼棒又はＰＣ鋼線で串刺しにしてプレストレスを与えつつ連結する。
３．上記の実施形態において、既製コンクリートのブロック１と現場打ちコンクリートの床板部２２は、鉄筋コンクリートにしているが、無筋コンクリートにする。
４．上記の実施形態において、ブロック１は、床板部３の内側面に鉄筋４を突出しているが、鉄筋４を突出させない。
５．上記の実施形態において、連結止水部材１１は、ゴムや合成樹脂の弾性材を一体成形しているが、弾性材に無機繊維などの補強材を混入する。
６．上記の実施形態において、目地材２１は、素材をスポンジゴムのような発泡合成樹脂にしているが、非発泡の軟質合成樹脂にする。
【符号の説明】
【００５３】
１  ブロック、既製コンクリートのブロック、Ｌ形水路ブロック
２  ブロックの壁板部
３  ブロックの床板部
４  ブロックの鉄筋
５  ブロックの連結止水部材用の取付溝
６  ブロックのボルト用の連結部
１１  連結止水部材
１２  連結止水部材の変形部
１３  連結止水部材の左岸ブロック用の連結止水部、左岸ブロック用の連結止水部
１４  連結止水部材の現場打ちコンクリート床板部用の連結止水部
１５  左岸ブロック用の連結止水部、左岸ブロック用の連結止水部の前側と後側の取付部
１６  前側と後側の取付部の肉厚部
１７  現場打ちコンクリート床板部用の連結止水部の前側と後側の取付部
１８  前側と後側の取付部の肉厚部
２１  目地材
２２  現場打ちコンクリートの中央部の床板部
２６  水路の第１区分
２７  水路の第２区分
２８  水路の第３区分
３１  ブロックの天板部
【図１】
0005235969.tif 000002
【図２】
0005235969.tif 000003
【図３】
0005235969.tif 000004
【図４】
0005235969.tif 000005
【図５】
0005235969.tif 000006
【図６】
0005235969.tif 000007
【図７】
0005235969.tif 000008
【図８】
0005235969.tif 000009
【図９】
0005235969.tif 000010
【図１０】
0005235969.tif 000011
【図１１】
0005235969.tif 000012
【図１２】
0005235969.tif 000013
【図１３】
0005235969.tif 000014
【図１４】
0005235969.tif 000015
【図１５】
0005235969.tif 000016
【図１６】
0005235969.tif 000017
【図１７】
0005235969.tif 000018
【図１８】
0005235969.tif 000019
【図１９】
0005235969.tif 000020
【図２０】
0005235969.tif 000021
【図２１】
0005235969.tif 000022
【図２２】
0005235969.tif 000023
【図２３】
0005235969.tif 000024